【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
充電式組電池の充電に使用する組電池管理システムであって、
前記組電池管理システムは、
制御部と、
温度センサと、
を備え、
前記温度センサは、前記充電式組電池の温度に基づいて、温度信号を提供するように構成され、
前記制御部は、前記温度が第１閾値温度信号値を超えていることを示す前記温度信号に応答し、上昇する温度の関数として充電電流が漸減するように、前記温度信号に基づいて前記充電式組電池を充電する前記充電電流を制御するように構成される、
ことを特徴とする組電池管理システム。
【請求項２】
前記温度が第２閾値温度を超えていることを示す前記温度信号に応答し、前記充電電流が前記組電池に供給されない、
請求項１記載の組電池管理システム。
【請求項３】
前記組電池の複数の単電池の充電レベルの指示を提供するように構成される充電指示部、
を備え、
前記制御部は、前記単電池それぞれの前記指示された充電レベルに基づいて、前記複数の単電池間のバランスをとるように構成される、
請求項１または２記載の組電池管理システム。
【請求項４】
制御部と、
温度センサと、
充電指示部と、
を備える組電池管理システムであって、
前記充電指示部は、前記組電池の複数の単電池の充電レベルの指示を提供するように構成され、
前記温度センサは、前記充電式組電池の温度に基づいて、温度信号を提供するように構成され、
前記制御部は、２つのモードで動作するように構成され、
第１モードでは、前記制御部は、前記温度信号に基づいて、前記組電池を充電する充電電流を制御し、
第２モードでは、前記制御部は、前記複数の単電池それぞれの前記指示された充電レベルに基づいて、前記組電池の前記複数の単電池間のバランスをとるように構成される、
ことを特徴とする組電池管理システム。
【請求項５】
前記制御部は、前記第１モードで前記温度が第１閾値温度を超えていることを示す前記温度信号に応答し、上昇する温度の関数として前記充電電流が漸減されるように構成される、
請求項４記載の組電池管理システム。
【請求項６】
前記温度が第２閾値温度を超えていることを示す前記温度信号に応答し、前記充電電流が前記組電池に供給されない、
請求項５記載の組電池管理システム。
【請求項７】
前記温度が第３閾値を下回っていることを示す前記温度信号に応答し、前記制御部は、低下する温度の関数として前記充電電流を漸減するように構成される、
請求項１乃至６のいずれかに記載の組電池管理システム。
【請求項８】
前記温度が第４閾値を下回っていることを示す前記温度信号に応答し、前記充電電流が前記組電池に供給されない、
請求項７記載の組電池管理システム。
【請求項９】
前記温度に基づく前記電流の前記漸減は、例えば、ルックアップテーブルなどの格納された関係情報に従い、
前記制御部は、前記格納された関係情報に基づいて、前記充電電流を制御するように構成される、
請求項１乃至３または５のいずれかに記載の組電池管理システム。
【請求項１０】
前記制御部は、充電中の第２モードと、放電中の第３モードと、において前記組電池の前記複数の単電池間のバランスをとるように構成される、
請求項３乃至９のいずれかに記載の組電池管理システム。
【請求項１１】
前記制御部は、選択された充電電流閾値（例えば、０．５Ａ）を超えた前記組電池に供給される前記充電電流に応答して、充電中に第２モードで前記複数の単電池間のバランスをとるように構成される、
請求項３乃至１０のいずれかに記載の組電池管理システム。
【請求項１２】
前記制御部は、選択された充電電圧閾値（例えば、３．０Ｖ）を超えた前記組電池に供給されている充電電圧に応答して、充電中に第２モードで前記複数の単電池間のバランスをとるように構成される、
請求項３乃至１１のいずれかに記載の組電池管理システム。
【請求項１３】
前記制御部は、選択された電圧閾値に到達するおよび／または超えた前記組電池の前記単電池の電圧に応答して、放電中に第３モードで前記複数の単電池間のバランスをとるように構成される、
請求項３乃至１２のいずれかに記載の組電池管理システム。
【請求項１４】
前記選択された電圧閾値は、３．９Ｖ以上である、
請求項１３記載の組電池管理システム。
【請求項１５】
前記制御部は、放電中に前記第３モードで前記単電池それぞれからの放電を制御するように構成される、
請求項１０またはその従属項に記載の組電池管理システム。
【請求項１６】
前記制御部は、前記組電池の前記温度が選択範囲内に収まるように、前記組電池の充電中に前記組電池への前記充電電流の流れを制御するように構成される、
請求項１乃至１５のいずれかに記載の組電池管理システム。
【請求項１７】
前記選択範囲は、前記第２閾値温度および前記第４閾値温度に対応する、
請求項８の従属項としての請求項１６またはその従属項に記載の組電池管理システム。
【請求項１８】
前記第１閾値温度は、４２℃である、
請求項１または５またはその従属項に記載の組電池管理システム。
【請求項１９】
前記第２閾値温度は、４５℃である、
請求項２または６またはその従属項に記載の組電池管理システム。
【請求項２０】
前記第３閾値温度は、５℃である、
請求項７またはその従属項に記載の組電池管理システム。
【請求項２１】
前記第４閾値温度は、０℃である、
請求項８またはその従属項に記載の組電池管理システム。
【請求項２２】
前記温度センサは、直列に配置された複数の単電池の積層体全体の前記温度を監視する、
請求項１乃至２１のいずれかに記載の組電池管理システム。
【請求項２３】
前記温度センサは、直列に配置された前記積層体の前記単電池のうち最高温度のものに載置されている、
請求項２２記載の組電池管理システム。
【請求項２４】
前記充電指示部は、
電圧センサ、
を備え、
前記充電レベルの前記指示は、
電圧、
を含む、
請求項３または４またはその従属項に記載の組電池管理システム。
【請求項２５】
前記制御部は、前記組電池の前記複数の単電池を電圧順でランキングし、前記ランキングに基づいて、前記組電池の前記複数の単電池それぞれへの前記充電電流を制御するように構成される、
請求項２４記載の組電池管理システム。
【請求項２６】
前記制御部は、最高電圧の前記単電池と最低電圧の前記単電池との間のオフセットに基づいて、前記複数の単電池それぞれへの前記充電電流を制御するように構成される、
請求項２５記載の組電池管理システム。
【請求項２７】
前記制御部は、前記オフセットが０．００２Ｖなどの閾値に到達するまで前記複数の単電池それぞれへの前記充電電流を制御するように構成される、
請求項２６記載の組電池管理システム。
【請求項２８】
前記制御部は、充電器に対し前記組電池に前記充電電流を供給するために要求を送信するように構成される、
請求項１乃至２７のいずれかに記載の組電池管理システム。
【請求項２９】
前記組電池の各単電池は、
直列に配置されると共に、前記単電池に平行に配置される対応する抵抗器、
を備え、
前記制御部は、前記対応する抵抗器の少なくとも１つに電流を流して、前記組電池の個々の単電池への前記充電電流の流れを制御することで、充電中に前記組電池の単電池への前記充電電流の流れを制御するように構成される、
請求項３または４またはその従属項に記載の組電池管理システム。
【請求項３０】
前記組電池は、
直列に配置された複数の単電池の２つの積層体と、
２つの温度センサと、
を備え、
前記温度センサそれぞれは、前記複数の単電池の積層体それぞれの温度に基づいて、温度信号を提供するように配置され、
前記制御部は、前記２つの温度センサに監視される最高温度または最低温度のそれぞれに基づいて、前記組電池への前記充電電流を制御するように構成される、
請求項３または４またはその従属項に記載の組電池管理システム。
【請求項３１】
前記制御部は、
前記組電池からの複数の入力信号を受信する複数の入力部、
を備え、
前記入力信号に基づいて、前記複数の単電池の数を判断するように構成される、
請求項３または４またはその従属項に記載の組電池管理システム。
【請求項３２】
前記制御部は、各単電池からの電圧測定値に基づいて、前記複数の単電池の数を判断するように構成される、
請求項３１記載の組電池管理システム。
【請求項３３】
前記制御部は、前記判断された複数の単電池の数に基づいて、前記単電池間のバランスをとるように構成される、
請求項３１または３２記載の組電池管理システム。
【請求項３４】
前記制御部は、
ネットワーク上で通信するインタフェース、
を備え、
前記ネットワーク上で前記組電池の充電および放電に関する情報を通信するように構成される、
請求項１乃至３３のいずれかに記載の組電池管理システム。
【請求項３５】
前記制御部は、コントローラエリアネットワーク（ＣＡＮ）上で充電ステーションと前記組電池の充電および放電に関する情報を通信するように構成される、
請求項３４記載の組電池管理システム。
【請求項３６】
前記制御部は、組電池の温度、組電池の充電レベルの指示、組電池への充電電流および組電池の電圧のうちの少なくとも１つを前記ＣＡＮ上で通信するように構成される、
請求項３４または３５記載の組電池管理システム。
【請求項３７】
前記制御部は、ＣＡＮ上で受信された命令に基づいて、前記組電池の充電または放電を制御するように構成される、
請求項１乃至３６のいずれかに記載の組電池管理システム。
【請求項３８】
前記制御部は、前記ＣＡＮ上で受信された充電停止要求を示す命令に応答して、前記充電電流が選択された充電電流閾値より低下するまで前記組電池への前記充電電流を少なくし、前記ＣＡＮ上で前記組電池の前記充電が終了したことを示すメッセージを送信するように構成される、
請求項３７記載の組電池管理システム。
【請求項３９】
前記選択された充電電流閾値は、前記組電池への充電電流が存在しない場合に相当している、
請求項３８記載の組電池管理システム。
【請求項４０】
前記制御部は、前記温度信号に基づいて、前記組電池を加熱または冷却するために、温度制御システムを制御するように構成される、
請求項１乃至３９のいずれかに記載の組電池管理システム。
【請求項４１】
前記制御部は、前記第１閾値温度を超えた前記温度に応答して、前記温度制御システムを起動して前記組電池を冷却するように構成される、
請求項４０記載の組電池管理システム。
【請求項４２】
前記制御部は、前記第３閾値温度を下回った前記温度に応答して、前記温度制御システムを起動して前記組電池を加熱するように構成される、
請求項７の従属項である請求項４０または４１またはその従属項に記載の組電池管理システム。
【請求項４３】
前記制御部は、
前記組電池への前記充電電流を制御する電流制限器、
を備え、
例えば、前記電流制限器は、
電界効果トランジスタ、
を備える、
請求項１乃至４２のいずれかに記載の組電池管理システム。
【請求項４４】
前記組電池が充電中か否かを検知する充電検知器、
を備え、
前記制御部は、車両駆動装置と通信するように構成され、
前記制御部は、前記組電池が充電中であることを前記充電検知器が検知したとき、前記車両駆動装置の動作を禁止するために信号を送信するように構成される、
請求項１乃至４３のいずれかに記載の組電池管理システム。
【請求項４５】
電気自動車またはハイブリッド車用の組電池管理システムであって、
前記組電池管理システムは、
車両駆動装置と通信するように構成される制御部と、
組電池が充電中か否かを検知する充電検知器と、
を備え、
前記制御部は、前記組電池が充電中であることを検知した前記充電検知器に応答して、前記車両駆動装置の動作を禁止するために信号を送信するように構成される、
ことを特徴とする組電池管理システム。
【請求項４６】
前記制御部は、ネットワーク上で通信するように構成され、
前記制御部は、前記ネットワーク上で受信した命令に応答して、前記車両駆動装置の動作を禁止するために前記信号を無効にする信号を前記車両駆動装置に送信するように構成される、
請求項４４または４５記載の組電池管理システム。
【請求項４７】
前記制御部は、前記ネットワーク上で反復充電広告を前記車両駆動装置に送信することで前記車両駆動装置の動作を禁止するように構成される、
請求項４４乃至４６のいずれかに記載の組電池管理システム。
【請求項４８】
前記組電池の前記充電レベルの指示を提供するように構成される充電指示部、
を備え、
前記制御部は、前記充電レベルが充電閾値を下回っていることを示す前記充電指示部に応答して、前記ネットワーク上で充電広告を送信するように構成され、
前記制御部は、前記充電レベルが充電閾値を超えていることを示す前記充電指示部応答して、前記ネットワーク上で充電広告を送信しなくなる、
請求項４７記載の組電池管理システム。
【請求項４９】
前記充電指示部は、
電圧センサ、
を備え、
前記充電閾値は、例えば、３．６Ｖである、
請求項４８記載の組電池管理システム。
【請求項５０】
前記制御部は、前記ネットワーク上で充電点に反復電流要求メッセージを送信するように構成され、前記電流要求メッセージに対する応答を受信したことに応答して、前記車両駆動装置の動作を禁止するために前記信号を送信する、
請求項４６またはその従属項に記載の組電池管理システム。
【請求項５１】
前記制御部は、同報配信された電流要求に続くある一定の期間内に、前記ネットワークに対し繰り返しポーリングを行って、前記同報配信された電流要求に対する応答を求めるように構成される、
請求項５０記載の組電池管理システム。
【請求項５２】
前記充電検知器は、
電流センサ、
を備える、
請求項４４乃至５１のいずれかに記載の組電池管理システム。
【請求項５３】
前記組電池管理システムは、
前記組電池の電圧を測定する電圧センサ、
を備え、
前記制御部は、電圧閾値を超える前記測定された組電池電圧に応答して、前記組電池への前記充電電流を切断するように構成され、
前記閾値は、前記組電池の名目動作電圧範囲より高い、
請求項１乃至５２のいずれかに記載の組電池管理システム。
【請求項５４】
組電池の組電池管理システムであって、
前記組電池管理システムは、
制御部と、
前記組電池の電圧を測定する電圧センサと、
を備え、
前記制御部は、電圧閾値を超える前記測定された組電池電圧に応答して、前記組電池への前記充電電流を切断するように構成され、
前記電圧閾値は、前記組電池の名目動作電圧範囲より高い、
ことを特徴とする組電池管理システム。
【請求項５５】
前記組電池は、
複数の単電池、
を備え、
前記単電池のそれぞれは、
電圧センサ、
を備え、
前記制御部は、閾値を超える前記測定された単電池電圧の少なくとも１つに応答して、前記組電池への前記充電電流を切断するように構成される、
請求項５３または５４記載の組電池管理システム。
【請求項５６】
充電式組電池を充電する充電点であって、
充電式組電池と電気的に接続される充電ポートと、
前記充電式組電池の少なくとも１つのパラメータを受信するインタフェースと、
請求項１乃至５５のいずれかに記載の組電池管理システムと、
を備え、
前記少なくとも１つのパラメータは、
前記組電池の温度および前記組電池の電圧のうちの少なくとも１つ、
を含み、
前記制御部は、
前記少なくとも１つのパラメータに基づいて、前記組電池の充電中に前記組電池への前記充電電流を制御するように構成される、
ことを特徴とする充電点。
【請求項５７】
充電式組電池を充電する充電点であって、
前記充電点は、
前記充電式組電池と電気的に接続される充電ポートと、
制御部と、
前記充電式組電池の少なくとも１つのパラメータを受信するインタフェースと、
を備え、
前記少なくとも１つのパラメータは、
前記組電池の温度および前記組電池の電圧のうちの少なくとも１つ、
を含み、
前記制御部は、前記少なくとも１つのパラメータに基づいて、前記組電池の充電中に前記組電池への前記充電電流を制御するように構成される、
ことを特徴とする充電点。
【請求項５８】
前記少なくとも１つのパラメータは、
電流を流す命令、
を含む、
請求項５７記載の充電点。
【請求項５９】
前記制御部は、例えば、コントローラエリアネットワーク（ＣＡＮ）などのネットワーク上で前記インタフェースを介して通信するように構成され、
前記制御部は、前記ネットワーク上で受信されるメッセージ内の前記少なくとも１つの他のパラメータに基づいて、前記組電池への前記充電電流を制御するように構成される、
請求項５７または５８記載の充電点。
【請求項６０】
前記制御部は、例えば、コントローラエリアネットワーク（ＣＡＮ）などのネットワーク上で前記インタフェースを介して通信するように構成され、
前記充電点は、前記少なくとも１つの他のパラメータに関する情報を要求するメッセージを前記組電池に送信するように構成される、
請求項５６乃至５９のいずれかに記載の充電点。
【請求項６１】
前記充電点は、前記インタフェースを介して第１メッセージを受信したとき前記組電池へ前記充電電流を送って充電を開始し、前記インタフェースを介して第２メッセージを受信したとき前記組電池への前記充電電流を禁止して充電を停止するように構成される、
請求項５６乃至６０のいずれかに記載の充電点。
【請求項６２】
前記制御部は、前記インタフェースを介して広告メッセージを繰り返し送信するように構成され、
前記充電点は、前記広告メッセージの受信確認を受信するとき、前記組電池への前記充電電流を制御するように構成される、
請求項５６乃至６１のいずれかに記載の充電点。
【請求項６３】
前記制御部は、
前記複数の組電池の第１組電池に接続されるように構成され、
前記複数の組電池の第２組電池に接続される第２組電池管理システムの制御部と通信するように構成され、
前記制御部は、前記第２組電池管理システムと通信するときに、自身をマスター制御部またはスレーブ制御部のいずれかとして指定するように構成され、
前記マスター制御部は、前記複数の組電池の前記第２組電池のパラメータに関する情報を前記スレーブ制御部から受信し、前記受信した情報に基づいて、前記複数の組電池への充電電流を制御するように構成される、
請求項１乃至５５のいずれかに記載の複数の組電池の充電に使用する組電池管理システム。
【請求項６４】
複数の組電池の充電に使用する組電池管理システムであって、
前記組電池管理システムは、
前記複数の組電池の第１組電池に接続される制御部、
を備え、
前記制御部は、前記複数の組電池の第２組電池に接続される第２組電池管理システムの制御部と通信するように構成され、
前記制御部は、前記第２組電池管理システムと通信するとき、自身をマスター制御部として指定し、他の制御部をスレーブ制御部として指定するように構成され、
前記マスター制御部は、前記複数の組電池の前記第２組電池のパラメータに関する情報を前記スレーブ制御部から受信し、前記受信された情報に基づいて、前記複数の組電池への充電電流を制御するように構成される、
ことを特徴とする組電池管理システム。
【請求項６５】
前記マスター制御部は、前記複数の組電池の最高温度または最低温度に基づいて、前記複数の組電池への前記充電電流を制御するように構成される、
請求項６３または６４記載の組電池管理システム。
【請求項６６】
前記組電池の前記パラメータは、パック温度、パック電圧、パックへの充電電流の流れ、パックごとの単電池の数、各単電池への充電電流の流れおよび各単電池の電圧のうちの少なくとも１つを含む、
請求項６３乃至６５のいずれかに記載の組電池管理システム。
【請求項６７】
前記マスター制御部は、前記スレーブ制御部に対し命令を送信するように構成される、
請求項６３乃至６６のいずれかに記載の組電池管理システム。
【請求項６８】
前記組電池管理システムは、
インタフェース、
を備え、
前記制御部は、例えば、コントローラエリアネットワーク（ＣＡＮ）などのネットワーク上で前記インタフェースを介して通信するように構成される、
請求項６３乃至６７のいずれかに記載の組電池管理システム。
【請求項６９】
前記温度センサは、
前記充電式組電池の少なくとも１つの単電池の前記温度を測定する第１温度センサと、
前記組電池管理システムの複数の要素の前記温度を測定する第２温度センサと、
の２つの温度センサを備える、
請求項１乃至４４のいずれかに記載の組電池管理システム。
【請求項７０】
前記組電池管理システムは、前記組電池管理システムの複数の要素の前記温度が閾値温度を超えていることを示す前記第２温度センサに応答して、前記充電式組電池へのおよび／または前記充電式組電池からの前記電流の流れを停止するように構成される、
請求項６９記載の組電池管理システム。
【請求項７１】
充電式組電池を充電する組電池管理システムであって、
前記組電池管理システムは、
制御部と、
２つの温度センサと、
を備え、
前記温度センサは、
前記充電式組電池の少なくとも１つの単電池の前記温度を測定する第１温度センサと、
前記組電池管理システムの複数の要素の温度を測定する第２温度センサと、
であり、
前記制御部は、前記第１温度センサからの温度信号に基づいて、前記充電式組電池を充電する充電電流を制御し、前記組電池管理システムの複数の要素の前記温度が閾値温度を超えていることを示す前記第２温度センサに応答して、前記充電式組電池へのおよび／または前記充電式組電池からの前記電流の流れを停止するように構成される、
ことを特徴とする組電池管理システム。
【請求項７２】
前記充電電流は、前記温度が第１閾値温度信号値を超えていることを示す前記第１温度センサからの前記温度信号に応答して、上昇する温度の関数として漸減される、
請求項７１記載の組電池管理システム。
【請求項７３】
前記組電池管理システムの前記複数の要素は、
少なくとも１つの電圧制御インピーダンス発生器、
を含み、
前記電圧制御インピーダンス発生器は、前記充電式組電池に供給される前記充電電流を制御するために前記制御部により操作可能である、
請求項６９乃至７２のいずれかに記載の組電池管理システム。
【請求項７４】
請求項１乃至６８のいずれかに記載の特徴事項を備えた、請求項６９乃至７３のいずれかに記載の組電池管理システム。
【手続補正２】
【補正対象書類名】明細書
【補正対象項目名】００１１
【補正方法】変更
【補正の内容】
【００１１】
図に示される実施形態は、単なる例示に過ぎず、これらの実施形態には、本明細書に記載され、本請求項に記載されるように、一般化され、削除され、または、置換されてもよい特徴事項が含まれることが上記の考察から理解されよう。図１に示される実際の例は、充電式組電池１０５に接続されているＢＭＳ１０１を備える組電池パック１００を備える。充電式組電池は、少なくとも１つのＬｉＦｅＰ０４単電池を備える。ＢＭＳ１０１は、制御部１０３と、電流センサ１０９と、温度センサ１０７と、電圧センサ１１１と、を備え、これらは全て制御部１０３に直列に接続される。